(57)【要約】【課題】ロール紙カッタの可動刃の移動の作業を勘に頼らずに手動で実行でき、構造の簡単なロール紙カッタを提供すること。【解決手段】カッタ筐体（２）に配設された可動刃駆動モータ（１０）の軸（１１）に結合されたウォームギヤ（１２）の外側にモータ手動回転補助部材（３０）が結合され、その外側の端部は治具結合端部（３１）としてカッタ筐体の外側まで延出し端面には十字溝（３２）が形成されている。十字溝は作業者が視認でき作業者は容易に治具としての十字ドライバー（５０）の先端（５１）を係合させることができる。作業者が十字溝に係合した十字ドライバーでモータ手動回転補助部材を回転せしめると、その回転はウォームギヤ（１２）、ウォームホイール（１３）、中間歯車（１４）を経て、第１ピン駆動歯車（１５）、および、さらに第２ピン駆動歯車（１６）に伝えられ、その結果、可動刃（２０）が移動する。【選択図】　　　図１
2004034328.tif 000002
【特許請求の範囲】
【請求項１】
少なくとも一重の筐体内に配設されるモータによりモータの回転軸に伝達機構を介して係合されている可動刃を移動せしめてロール紙を切断するロール紙カッタであって、
モータの回転軸と相対回転不能に結合されると共に治具を係合可能な治具係合部を有し、治具係合部に係合した治具を介してモータの回転軸を手動で回転させて可動刃を移動せしめることができるモータ手動回転補助部材を具備し、
モータ手動回転補助部材の治具係合部が最も外側の筐体の外側に露出せしめられている、ことを特徴とするロール紙カッタ。
【請求項２】
モータ手動回転補助部材が、モータの回転軸に取り付けられたギヤに結合されている、ことを特徴とする請求項１に記載のロール紙カッタ。
【請求項３】
モータ手動回転補助部材が、モータの回転軸に取り付けられたギヤに一体成形されている、ことを特徴とする請求項１に記載のロール紙カッタ。
【請求項４】
モータ手動回転補助部材が複数部分に分割して作られたものを結合して形成される、ことを特徴とする請求項１に記載のロール紙カッタ。
【請求項５】
モータ手動回転補助部材が同一の複数部分に分割して作られたものを結合して形成される、ことを特徴とする請求項４に記載のロール紙カッタ。
【請求項６】
モータの回転軸に、筐体の外部から手回し可能なダイヤルが結合されている、ことを特徴とする請求項１に記載のロール紙カッタ。
【請求項７】
ダイヤルが筐体の外部に突出しないようにされている、ことを特徴とする請求項６に記載のロール紙カッタ。
【発明の詳細な説明】
【０００１】
【発明の属する技術分野】
本発明は、ロール紙カッタに関する。
【０００２】
【従来の技術】
ＰＯＳ等の流通端末、あるいは計測、医療機器、その他、様々な用途において、ロール紙を使用するロール紙プリンタが使用されている。このような、ロール紙プリンタではロール紙カッタによって印字後にロール紙を切断する。ロール紙カッタには色々な種類のものがあるが、通常、可動刃と固定刃を有し、可動刃を固定刃に対して移動してロール紙を切断するものが多い。
【０００３】
ロール紙の切断が確実におこなわれるように色々な対策がとられているが、カッタ推奨切断厚み（規格）以上のロール紙の使用等の理由により、ロール紙が切断できないという状況が発生することがある。例えば、カッタ内でロール紙ジャムが発生し、ロール紙の厚さによる抵抗の増大で可動刃が戻らないという問題が発生することがある。そこで、このような問題が発生した場合に早急に手動で可動刃を待機位置まで戻せるようにしたものがある。
【０００４】
そこで、可動刃はモータの回転により駆動されるようにされているものが多いので、モータの回転軸に治具を係合させて、モータの回転軸を切断時の回転方向とは逆の方向に回転させて可動刃を待機位置に戻すようにしたものがある。
例えば、特開平５−３３７８７７号公報には、可動刃を駆動するモータの回転軸の先端に、外部の治具の先端が係合可能な治具係合部を形成したものが開示されている。しかしながら、この装置の場合、治具係合部は筐体の内部にあり、作業者は視認できず、勘に頼って作業する必要があり、概して、至急な作業が求められる復旧作業には問題である。
そこで、上記公報にはモータを収容するケースに軸部材を取り付けその先端に治具係合部と係合するクラッチを設けたものが開示されている。しかし、この装置は構造が複雑でコストもかかる。
【０００５】
【発明が解決しようとする課題】
本発明は、上記問題に鑑み、構造が簡単で、勘に頼らずにロール紙カッタの可動刃の移動の作業を手動で実行できるロール紙カッタを提供することを目的とする。
【０００６】
【課題を解決するための手段】
請求項１の発明によれば、少なくとも一重の筐体内に配設されるモータによりモータの回転軸に伝達機構を介して係合されている可動刃を移動せしめてロール紙を切断するロール紙カッタであって、
モータの回転軸と相対回転不能に結合されると共に治具を係合可能な治具係合部を有し、作業者が治具係合部に治具を介してモータの回転軸を手動で回転させて可動刃を移動せしめることができるモータ手動回転補助部材を具備し、
モータ手動回転補助部材の治具係合部が最も外側の筐体の外側に露出せしめられている、ことを特徴とするロール紙カッタが提供される。
このように構成されるロール紙カッタでは、治具を係合するモータ手動回転補助部材の治具係合部が最も外側の筐体の外側に露出せしめられているので作業者は治具を容易に治具係合部に係合できる。
【０００７】
請求項２の発明によれば、請求項１の発明において、モータ手動回転補助部材が、モータの回転軸に取り付けられたギヤに結合されている、ことを特徴とするロール紙カッタが提供される。
【０００８】
請求項３の発明によれば、請求項１の発明において、モータ手動回転補助部材が、モータの回転軸に取り付けられたギヤに一体成形されている、ことを特徴とするロール紙カッタが提供される。
【０００９】
請求項４の発明によれば、請求項１の発明において、モータ手動回転補助部材が複数部分に分割して作られたものを結合して形成される、ことを特徴とするロール紙カッタが提供される。
請求項５の発明によれば、請求項４の発明において、モータ手動回転補助部材が同一の複数部分に分割して作られたものを結合して形成される、ことを特徴とするロール紙カッタが提供される。
【００１０】
請求項６の発明によれば、請求項１の発明において、モータの回転軸に、筐体の外部から手回し可能なダイヤルが結合されている、ことを特徴とするロール紙カッタが提供される。
請求項７の発明によれば、請求項６の発明において、ダイヤルが筐体の外部に突出しないようにされている、ことを特徴とするロール紙カッタが提供される。
【００１１】
【発明の実施の形態】
以下、添付の図面を参照して本発明の実施の形態を説明する。
図１は本発明の第１の実施の形態のロール紙カッタを有するプリンタ１の上面図であり、図２は側面図である。プリンタ１はロール紙Ｒを収容するロール紙筐体２に、プリンタ本体筐体３を取り付け、プリンタ本体筐体３の上にカッタ筐体４を取り付けて構成されている。ロール紙筐体２は下部ロール紙筐体２ａと下部ロール紙筐体２ａに回転可能に取り付けられた上部ロール紙筐体２ｂから構成される。
【００１２】
カッタ筐体４の内部には可動刃駆動モータ１０が配設され可動刃駆動モータ１０の軸１１にウォームギヤ１２が固定的に結合されている。ウォームギヤ１２にはカッタ筐体４に軸が支持されたウォームホイール１３が係合し、ウォームホイール１３には同軸的に中間歯車１４が取り付けられていて、中間歯車１４には第１ピン駆動歯車１５が噛合し、第１ピン駆動歯車１５には第１ピン駆動歯車１５と同径の第２ピン駆動歯車１６が噛合している。
【００１３】
第１ピン駆動歯車１５にはピン１７が取り付けられ、第２ピン駆動歯車１６にはピン１８が取り付けられている。したがって、第１ピン駆動歯車１５と第２ピン駆動歯車１６がモータ１０により、ウォームギヤ１２、ウォームホイール１３、中間歯車１４を介して回転せしめられると、ピン１７とピン１８は回転し、軸方向（図のＸ−Ｘ方向）である範囲を往復するが、ピン１７とピン１８は常に同じ軸方向位置にあるように第１ピン駆動歯車１５と第２ピン駆動歯車１６に取り付けられている。
【００１４】
一方、カッタ筐体４の内部には可動刃２０が、その側部２０ａを、カッタ筐体４の側壁下端を折り曲げて形成したガイド（図示せず）上を摺動可能に配設されている。可動刃２０にはスリット２１、２２が形成されていて、スリット２１には第１ピン駆動歯車１５に取り付けられたピン１７が係合し、スリット２２には第２ピン駆動歯車１６に取り付けられたピン１８が係合している。したがって、ピン１７、１８が回転すると、可動刃２０は図の上下方向に往復動する。
【００１５】
図２に示されるようにプリンタ本体筐体３の内部はプラテン２３を回転駆動するためのプラテン駆動モータ２４、印字ヘッド２５等が配設されている。なお、プラテン２３は詳しくは示さないが固定刃２６に取り付けられている。
そして、上部ロール紙筐体２ｂの上面板５に固定刃取り付け部材６を介して固定刃２６が取り付けられていて、可動刃２０は固定刃２６の上を摺動する。図１、２は可動刃２０が固定刃側に最も移動した状態を示している。
【００１６】
ロール紙Ｒは下部ロール紙筐体２ａの内部から図２に矢印で示すような経路でプリンタ本体筐体の下側部分に入り、プラテン２３と印字ヘッド２５の間を通ってから固定刃２６と待機位置にある可動刃２０の間の隙間を通って上方に向かう。
【００１７】
通常は、カッタ駆動モータ１０を駆動して、待機位置にある可動刃２０を固定刃２６の方へ移動せしめることによりロール紙Ｒは切断されるが、可動刃２０を固定刃２６に押し付けるばね２７（図２参照）の押圧力が弱かったりすると、ロール紙Ｒが可動刃２０と固定刃２６の間に挟まり図２に示すような紙ジャムが発生することがある。紙ジャムが発生した場合は、摩擦抵抗の増大により、可動刃駆動モータ１０の駆動力では可動刃２０を図１，２に示すような位置から待機位置に戻すことができなくなってしまう。
【００１８】
そこで、この第１の実施の形態においては、可動刃駆動モータ１０に結合されているウォームギヤ１２のモータ軸方向の外側にモータ手動回転補助部材３０が、例えば、圧入で結合されている。そしてモータ手動回転補助部材３０の反モータ側、すなわち、外側の端部は、治具結合端部３１として、カッタ筐体４の外側まで延出しており、その端面には、治具としての十字ドライバー５０の先端５１が係合できるように十字溝３２が加工されている。この十字溝３２は外部に露出しており、作業者が視認することができ、作業者がモータ手動回転補助部材３０の十字溝３２に十字ドライバー５０の先端５１を係合させるのに何等の難しさも存在しない。
【００１９】
作業者が十字ドライバ５０の先端５１をモータ手動回転補助部材３０の十字溝３２に係合してモータ手動回転補助部材３０を回転せしめると、モータ手動回転補助部材３０の回転はウォームギヤ１２、ウォームホイール１３、中間歯車１４を経て、第１ピン駆動歯車１５、第２ピン駆動歯車１６が回転し、それにともない可動刃２０が待機位置まで移動し紙ジャムが解除できる。
【００２０】
図３の（Ａ），（Ｂ），（Ｃ）が上述の可動刃の移動を説明する図であって、（Ａ）は図１と同じ紙ジャムが発生した状態を示し、（Ｂ）は（Ａ）の状態から第１ピン駆動歯車１５、第２ピン駆動歯車１６がそれぞれ時計回り、反時計回りに９０度回転し可動刃２０が中間位置まで戻った状態を示し、（Ｃ）は（Ｂ）の状態から、第１ピン駆動歯車１５、第２ピン駆動歯車１６が、さらに、時計回り、反時計回りに９０度回転し、待機位置まで戻った状態を示している。
【００２１】
次に第２の実施の形態について説明する。図４が第２の実施の形態を説明する図であって、この第２の実施の形態は、第１の実施の形態に対して、モータ手動回転補助部材３０がウォームギヤ１２に一体に成形されている点のみが異なり、その他の点は変わらない。このようにモータ手動回転補助部材３０をウォームギヤ１２と一体にすることにより第２の実施の形態は第１の実施の形態に比べて構成要素が少なくコストが安く組み立ても簡単である。
【００２２】
次に第３の実施の形態について説明する。図５が第３の実施の形態の構成を説明する斜視図であって、プリンタ１全体が下側外側筐体７ａと下側外側筐体７ａに回転可能に取り付けられた上側外側筐体７ｂから成る外側筐体７の中に収容されていて、それに対応して第１の実施の形態におけるモータ手動回転補助部材３０が治具結合端部３１が下側外側筐体７ａの外側にくるまで延長されている。
【００２３】
図６は図５に示した第３の実施の形態を上側外側筐体７ｂを除去した状態で上から見た図である。第３の実施の形態はこのように構成され、外側筐体７により可動刃駆動モータ１０が二重にカバーされていても作業者は目で確認しながらモータ手動回転補助部材３０を十字ドライバー５０で回転せしめることができる。
【００２４】
次に第４の実施の形態について説明する。図７がこの第４の実施の形態を説明する図であって、第３の実施の形態と同様にプリンタ１の全体が外側筐体７の内部に収容されている。
この第４の実施の形態では、モータ手動回転補助部材３０は内側部分３３と外側部分３４に分割して作られたものを結合して形成されている。内側部分３３と外側部分３４の結合はどのような方法でもよいが、この第４の実施の形態では以下のようにされている。
【００２５】
先ず、内側部分３３は内側の端部のウォームギヤ１２のモータ軸方向の外側に圧入される部分に十字ドライバー５０の先端５１と同じ形状の十字の突起３５を形成し、外側の端部には十字ドライバー５０の先端５１が係合可能な十字溝３６を形成したものとする。そして、外側部分３４は上記のように形成した内側部分３３と全く同じ形状、寸法のものとし、内側の端部に十字ドライバー５０の先端５１と同じ形状の十字の突起３７を形成し、外側の端部には十字ドライバー５０の先端５１が係合可能な十字溝３８を形成したものとする。
【００２６】
上記のように形成した内側部分３３の外側の端部の十字溝３６と、外側部分３４の内側の端部の十字突起３７を係合させながら、接着剤、あるいは、溶着、溶接等により結合される。あるいは、結合部の外側にスリーブを配設してスリーブでかしめる方法を利用することもできる。
【００２７】
第４の実施の形態は上記のように形成されており、ウォームギヤ１２から最も外側の筐体の外側までの距離が長い場合に対応するために複数種類のモータ手動回転補助部材を用意する必要がなく、距離に応じてさらに多数結合することも容易である。
【００２８】
なお、この第４の実施の形態は外側筐体７を有している場合を例にして説明したが、外側筐体７を有さないでカッタ筐体４とモータ１０、実際にはウォームギヤ１２の端部、との距離が大きい場合にも適用できる。
【００２９】
次に第５の実施の形態について説明する。図８が第５の実施の形態の構造を示す図であって、第１の実施の形態に対して、ウォームギヤ１２の外側端部の外周に手動ダイヤル４０を取り付け、カッタ筐体４の上面部材に作業者が指先でこの手動ダイヤル４０を回すことができるように穴４ａがもうけられている点が第１の実施の形態と異なる。このようにすることによりモータ手動回転補助部材３０が使えなくなった場合にもこの手動ダイヤル４０を回すことにより可動刃２０を移動せしめることができる。
【００３０】
なお、この手動ダイヤル４０はカッタ筐体４の上面から外部に突出しないようにされており、標準品としてこの手動ダイヤル４０を装備しておいても、カッタ筐体４の上に直接に別の部品を組み付けることが可能である。この第５の実施の形態の手動ダイヤルは第２〜４の実施の形態と組み合わせることも勿論可能である。
【００３１】
【発明の効果】
各請求項に記載の発明は、少なくとも一重の筐体内に配設されるモータによりモータの回転軸に伝達機構を介して係合されている可動刃を移動せしめてロール紙を切断するロール紙カッタであるが、モータの回転軸と相対回転不能に結合されると共に治具を係合可能な治具係合部を有し、治具係合部に係合した治具を介してモータの回転軸を手動で回転させて可動刃を移動せしめることができるモータ手動回転補助部材を具備し、モータ手動回転補助部材の治具係合部が最も外側の筐体の外側に露出せしめられている。
したがって、治具を係合するモータ手動回転補助部材の治具係合部が最も外側の筐体の外側に露出せしめられているので作業者は勘に頼ることなく治具を容易に治具係合部に係合でき構造も簡単である。
特に、請求項４のように、モータ手動回転補助部材を複数部分に分割して作られたものを結合して形成すれば、モータから外部までの距離が異なる場合にも容易に対応でき、さらに、請求項５に記載のように、モータ手動回転補助部材を同一の複数部分に分割して作られたものを結合して形成すれば、コストがかからない。
特に、請求項６のように、モータの回転軸に、筐体の外部から手回し可能なダイヤルを結合すれば、モータ手動回転補助部材で可動刃が移動できない場合にはダイヤルを回すことにより可動刃を移動することができる。さらに、請求項７のように、ダイヤルは筐体の外部に突出しないようにすれば、ダイヤルを標準装備としても、ダイヤルの設けられた筐体の上に直接別部材を取り付けることも可能である。
【図面の簡単な説明】
【図１】第１の実施の形態の上面図である。
【図２】第１の実施の形態の側面図である。
【図３】可動刃の移動を説明する図であって、
（Ａ）は可動刃が最先端位置にある状態を示し、
（Ｂ）は可動刃が中間位置まで戻った状態を示し、
（Ｃ）は可動刃が待機位置まで戻った状態を示している。
【図４】第２の実施の形態の部分上面図である。
【図５】第３の実施の形態の全体の斜視図である。
【図６】第３の実施の形態の上面図である。
【図７】第４の実施の形態の上面図である。
【図８】第５の実施の形態の上面図である。
【符号の説明】
２…ロール紙筐体
３…プリンタ本体筐体
４…カッタ筐体
７…外側筐体
７ａ…下側外側筐体
７ｂ…上側外側筐体
１０…モータ
１２…ウォームギヤ
１３…ウォームホイール
１４…中間歯車
１５、１６…第１、２ピン駆動歯車
１７、１８…ピン
２０…可動刃
２１、２２…スリット
２６…固定刃
３０…モータ手動回転補助部材
３１…治具結合部
３２…十字溝
３３…（分割されたモータ手動回転補助部材の）内側部分
３４…（分割されたモータ手動回転補助部材の）外側部分
３５、３６…十字突起
３７、３８…十字溝
４０…手動ダイヤル
５０…十字ドライバー（治具）
【図１】
2004034328.tif 000003
【図２】
2004034328.tif 000004
【図３】
2004034328.tif 000005
【図４】
2004034328.tif 000006
【図５】
2004034328.tif 000007
【図６】
2004034328.tif 000008
【図７】
2004034328.tif 000009
【図８】
2004034328.tif 000010